(57)【要約】  カメラ部と該カメラ部に撮影された画像を表示させる表示部とを備えた画像表示システムであって、前記カメラ部により撮影された画像中に、予め定められたマーカーが存在することを検出するマーカー検出部と、前記マーカーに対応するコンテンツを前記表示部の表示領域にて再生するコンテンツ再生部と、前記コンテンツの表示態様を変更させるためのイベントが発生したか否かを検出するイベント検出部と、前記コンテンツが再生される表示領域を、検出されたイベントに応じた表示領域に変更する領域変更部と、を備え、前記コンテンツ再生部は、再生させていた前記コンテンツを、変更された表示領域にて再生させる、画像表示システムを提供する。
2014068706.tif 000002
【特許請求の範囲】
【請求項１】
カメラ部と該カメラ部に撮影された画像を表示させる表示部とを備えた画像表示システムであって、
マーカー検出部と、コンテンツ再生部と、イベント検出部と、領域変更部と、を備え、
前記マーカー検出部は、前記カメラ部による撮影が開始されて以降または該撮影された画像の前記表示部への表示が開始されて以降、該撮影された画像中に、あらかじめ検出対象として定められたマーカーが存在していることを検出して、
前記コンテンツ再生部は、前記マーカー検出部によりマーカーが検出されている状態において、該マーカーに対応するコンテンツを、そのマーカーを基準として定められる前記表示部の表示領域にて再生させて、
前記イベント検出部は、前記コンテンツ再生部によるコンテンツの再生が開始されて以降、当該画像表示システムに対し、該コンテンツの表示態様を変更させるためのイベントが発生したか否かを検出して、
前記領域変更部は、前記イベント検出部によりイベントの発生が検出された場合に、少なくとも前記コンテンツが再生される表示領域を、その検出されたイベントに応じた表示領域へと変更して、
さらに、
前記コンテンツ再生部は、前記領域変更部により前記表示領域が変更されて以降、それまで再生させていた前記コンテンツを、その変更された表示領域にて再生させる
ことを特徴とする画像表示システム。
【請求項２】
前記イベント検出部は、前記コンテンツ再生部によるコンテンツの再生が開始されて以降、当該画像表示システムに対し、前記コンテンツを前記マーカーに依存しない表示領域にて再生すべき旨を指令するための領域指令操作が行われたことをイベントとして検出して、
前記領域変更部は、前記イベント検出部により前記領域指令操作が検出された場合に、前記コンテンツが再生される表示領域を、前記表示部において前記マーカーを基準としない所定の表示領域へと変更する
ことを特徴とする請求項１に記載の画像表示システム。
【請求項３】
検出対象として定められたマーカーにつき、該マーカーに対応するコンテンツの再生に必要な範囲が前記表示部の表示領域全体と相似形である場合において、
前記領域変更部は、前記イベント検出部により前記領域指令操作が検出された場合に、前記コンテンツが再生される表示領域を、前記表示部における表示領域全体に変更する
ことを特徴とする請求項２に記載の画像表示システム。
【請求項４】
前記イベント検出部は、前記コンテンツ再生部によるコンテンツの再生が開始されて以降、当該画像表示システムに対し、その時点で検出対象として定められているマーカーを別のマーカーへと変更すべき旨を指令するためのマーカー指令操作が行われたことをイベントとして検出するものであり、
前記領域変更部は、前記イベント検出部により前記マーカー指令操作が検出された場合に、前記再生コンテンツが再生されていた表示領域を、該マーカー指令操作に伴うマーカー（前記別のマーカー）を基準として定められる表示領域へと変更して、
前記コンテンツ再生部は、前記マーカー指令操作を受けた前記領域変更部により前記表示領域が変更されて以降、それまで再生させていた前記コンテンツを、前記別のマーカーが前記マーカー検出部により検出されている状態において、該別のマーカーを基準として定められる前記表示部の表示領域にて再生させる
ことを特徴とする請求項１から３のいずれかに記載の画像表示システム。
【請求項５】
さらに、変位検出部と、方向特定部と、を備えており、
前記変位検出部は、当該画像表示システムが一定以上の加速度をもって特定方向へと変位していることを検出して、
前記方向特定部は、前記変位検出部により検出された変位方向、および、該検出されうる変位方向との関係で規定される前記表示部の向きに基づいて、前記表示部の表示領域において前記変位検出部に検出された変位方向と反対となる方向を特定して、
前記イベント検出部は、前記コンテンツ再生部によるコンテンツの再生が開始されて以降、前記変位検出部により当該画像表示システムの変位が開始されたことをイベントとして検出するものであり、
前記領域変更部は、前記領域変更イベント検出部により変位開始が検出された際、その変位開始が検出された時点で前記方向特定部により特定される方向へ、前記コンテンツが再生されている表示領域を一定量だけ所定速度で変位させ、その後、所定速度で元の位置へと戻す
ことを特徴とする請求項１から４のいずれかに記載の画像表示システム。
【請求項６】
カメラ部に撮影させた画像を表示部に表示させる電子機器であって、
マーカー検出部と、コンテンツ再生部と、イベント検出部と、領域変更部と、を備え、
前記マーカー検出部は、前記カメラ部による撮影が開始されて以降または該撮影された画像の前記表示部への表示が開始されて以降、該撮影された画像中に、あらかじめ検出対象として定められたマーカーが存在していることを検出して、
前記コンテンツ再生部は、前記マーカー検出部によりマーカーが検出されている状態において、該マーカーに対応するコンテンツを、そのマーカーを基準として定められる前記表示部の表示領域にて再生させて、
前記イベント検出部は、前記コンテンツ再生部によるコンテンツの再生が開始されて以降、当該電子機器に対し、該コンテンツの表示態様を変更させるためのイベントが発生したか否かを検出して、
前記領域変更部は、前記イベント検出部によりイベントの発生が検出された場合に、少なくとも前記コンテンツが再生される表示領域を、その検出されたイベントに応じた表示領域へと変更して、
さらに、
前記コンテンツ再生部は、前記領域変更部により前記表示領域が変更されて以降、それまで再生させていた前記コンテンツを、その変更された表示領域にて再生させる
ことを特徴とする電子機器。
【請求項７】
コンピュータを
請求項１から６のいずれかに記載の全ての構成要素として機能させる
ためのプログラム。
【請求項８】
少なくとも１つのコンピュータに、カメラ部と該カメラ部に撮影された画像を表示させる画像表示方法であって、
マーカー検出手順と、コンテンツ再生手順と、イベント検出手順と、領域変更手順と、からなり、
前記マーカー検出手順は、前記カメラ手順による撮影が開始されて以降または該撮影された画像の前記表示手順への表示が開始されて以降、該撮影された画像中に、あらかじめ検出対象として定められたマーカーが存在していることを検出して、
前記コンテンツ再生手順は、前記マーカー検出手順によりマーカーが検出されている状態において、該マーカーに対応するコンテンツを、そのマーカーを基準として定められる前記表示手順の表示領域にて再生させて、
前記イベント検出手順は、前記コンテンツ再生手順によるコンテンツの再生が開始されて以降、当該コンピュータに対し、該コンテンツの表示態様を変更させるためのイベントが発生したか否かを検出して、
前記領域変更手順は、前記イベント検出手順によりイベントの発生が検出された場合に、少なくとも前記コンテンツが再生される表示領域を、その検出されたイベントに応じた表示領域へと変更して、
さらに、
前記コンテンツ再生手順は、前記領域変更手順により前記表示領域が変更されて以降、それまで再生させていた前記コンテンツを、その変更された表示領域にて再生させる
ことを特徴とする画像表示方法。
【発明の詳細な説明】
【技術分野】
【０００１】
本発明は、カメラ部で撮影する画像を表示部に表示させる画像表示システムに関する。
【背景技術】
【０００２】
近年、カメラ部に撮影された画像に仮想的な情報を重畳して表示する、といった拡張現実（ＡＲ；Ａｕｇｕｍｅｎｔｅｄ  Ｒｅａｌｉｔｙ）技術の開発が進められている。
具体的には、カメラ部および表示部を備えた端末装置において、カメラ部で撮影した画像を表示部に表示させつつ、その画像から検出対象のマーカーとして特定される画像領域に文字情報などを重畳させる、といった技術である（特許文献１〜２など参照）。
【先行技術文献】
【特許文献】
【０００３】
【特許文献１】特開２０１０−２３８０９６号
【特許文献２】特許第３７０００２１号
【発明の概要】
【発明が解決しようとする課題】
【０００４】
また、この種の技術は、カメラ部により撮影された画像中において、マーカーに対応する別のコンテンツ（例えば静止画、動画など）を、このマーカーを基準とする所定の画像領域にて再生させる、といった用途が考えられる。【０００５】
具体的には、あらかじめ用意されたマーカーを含む領域をカメラ部で撮影させることにより、このマーカーに対応するものとして取得されたコンテンツを、表示部の表示領域においてマーカーを基準とする画像領域にて再生する、といった用途である。これによれば、実空間においてマーカーの位置する領域にてコンテンツを再生させる状況を仮想的に創り出すことができる。【０００６】
ただ、このような用途においては、実空間におけるマーカーに依存してコンテンツが再生されることから、そのコンテンツの再生および閲覧に際しての自由度が阻害されてしまう恐れがある。【０００７】
例えば、閲覧に一定以上の時間を要するコンテンツの場合、ユーザは、コンテンツの継続的な閲覧のために、実空間においてマーカーを含む領域をカメラ部で撮影し続けなければならず、その閲覧姿勢などにおいて必ずしも自由度が高いとはいえない。このことは、拡張現実技術を用いたサービスを提供する事業者側にとっても、サービスを提供する上の制約になる恐れがある。【０００８】
拡張現実技術において、コンテンツの再生および閲覧に際しての自由度が阻害されないことが望ましい。
【課題を解決するための手段】
【０００９】
本発明の第１局面は、カメラ部と該カメラ部に撮影された画像を表示させる表示部とを備えた画像表示システムであって、マーカー検出部と、コンテンツ再生部と、イベント検出部と、領域変更部と、を備える。【００１０】
これらのうち、前記マーカー検出部は、前記カメラ部による撮影が開始されて以降または該撮影された画像の前記表示部への表示が開始されて以降、該撮影された画像中に、あらかじめ検出対象として定められたマーカーが存在していることを検出して、前記コンテンツ再生部は、前記マーカー検出部によりマーカーが検出されている状態において、該マーカーに対応するコンテンツを、そのマーカーを基準として定められる前記表示部の表示領域にて再生させて、前記イベント検出部は、前記コンテンツ再生部によるコンテンツの再生が開始されて以降、当該画像表示システムに対し、該コンテンツの表示態様を変更させるためのイベントが発生したか否かを検出して、前記領域変更部は、前記イベント検出部によりイベントの発生が検出された場合に、少なくとも前記コンテンツが再生される表示領域を、その検出されたイベントに応じた表示領域へと変更する。【００１１】
さらに、前記コンテンツ再生部は、前記領域変更部により前記表示領域が変更されて以降、それまで再生させていた前記コンテンツを、その変更された表示領域にて再生させる。【００１２】
この発明では、コンテンツを再生する表示領域を、画像中のマーカーを基準とする表示領域から、画像表示システムに対して発生したイベントに応じた表示領域へと変更することができる。【００１３】
このように、イベントに応じた表示領域へと変更することにより、それまでのマーカーが位置する表示領域とは無関係に、このマーカーに対応する再生コンテンツを再生させることができる。これにより、カメラ部によりマーカーを含む領域が撮影されているか否かに拘らず、継続的にコンテンツを再生させることができるため、コンテンツの再生およびその閲覧に際しての自由度が高い。【００１４】
この第１局面において、検出対象となるマーカーは、特定の画像的な特徴（形状または色分布など）を有する画像領域として定めておくことが考えられる。この場合、カメラ部に撮影される画像から、この画像的な特徴を有する画像領域を識別し、これをマーカーとして検出するとよい。【００１５】
また、画像表示システムの位置または向きなどの情報に基づいて、カメラ部に撮影される画像に含まれる画像領域の実空間における位置を特定できる場合であれば、実空間における特定の位置を含む画像領域（場所または建造物など）を識別し、これをマーカーとして検出することを考えることもできる。【００１６】
また、上記局面においては、カメラ部による画像の撮影が開始された、または、マーカーが検出されたタイミングで、マーカーに対応するコンテンツに適宜アクセスし、これを再生することとなる。このとき、コンテンツへのアクセスは、このコンテンツが格納された場所であればよく、ネットワーク上の格納場所または画像表示システムにおける記憶部の格納場所とすることが考えられる。【００１７】
また、上記局面において、画像の表示領域を変更させるためのイベントとしては、例えば、画像表示システムに対し、表示領域の変更を指令するための操作が行われたこと、などが考えられる。【００１８】
具体的には、マーカーに依存しない表示領域での再生を指令するための操作を考えることができる。この場合、上記局面の発明を以下に示す第２局面のようにすることが考えられる。【００１９】
本発明の第２局面において、前記イベント検出部は、前記コンテンツ再生部によるコンテンツの再生が開始されて以降、当該画像表示システムに対し、前記コンテンツを前記マーカーに依存しない表示領域にて再生すべき旨を指令するための領域指令操作が行われたことをイベントとして検出して、前記領域変更部は、前記イベント検出部により前記領域指令操作が検出された場合に、前記コンテンツが再生される表示領域を、前記表示部において前記マーカーを基準としない所定の表示領域へと変更する。【００２０】
この発明では、領域指令操作が検出された以降、コンテンツをマーカーに依存しない表示領域にて再生させることができる。そのため、ユーザは、画像表示システムに対し、領域指令操作を行うことにより、マーカーを含む領域を撮影し続けることなく、そのマーカーに対応するコンテンツを継続的に閲覧することができるようになる。【００２１】
また、上記局面において、「マーカーに依存しない表示領域」は、それまでのマーカーを基準としない表示領域であればよく、その具体的な領域については特に限定されない。
例えば、表示部における表示領域中の所定位置を基準としてコンテンツの再生に必要な範囲の表示領域、それまでコンテンツを再生していた表示領域から上下左右に所定量だけズラした表示領域、表示部における表示領域の中心となる表示領域などを、「マーカーに依存しない表示領域」とすることが考えられる。【００２２】
また、検出対象として定められたマーカーにつき、該マーカーに対応するコンテンツの再生に必要な範囲が前記表示部の表示領域全体と相似形である場合には、この表示領域全体を「マーカーに依存しない表示領域」とすることも考えられる。この場合、上記局面の発明を以下に示す第３局面のようにすることが考えられる。【００２３】
本発明の第３局面において、前記領域変更部は、前記イベント検出部により前記領域指令操作が検出された場合に、前記コンテンツが再生される表示領域を、前記表示部における表示領域全体に変更する。【００２４】
この発明であれば、領域指令操作が検出された以降、コンテンツを表示部における表示領域全体にて再生させることができる。そのため、ユーザは、画像表示システムに対し、領域指令操作を行うことにより、そのマーカーに対応するコンテンツを全画面表示にて継続的に閲覧することができるようになる。【００２５】
また、上記各局面において「マーカーを基準としない表示領域」としては、それまでのマーカーとは別のマーカーを基準とする表示領域とすることも考えられる。この場合、上記各局面の発明を以下に示す第４局面のようにすることが考えられる。【００２６】
本発明の第４局面において、前記イベント検出部は、前記コンテンツ再生部によるコンテンツの再生が開始されて以降、当該画像表示システムに対し、その時点（再生が開始された時点）で検出対象として定められているマーカーを別のマーカーへと変更すべき旨を指令するためのマーカー指令操作が行われたことをイベントとして検出しており、前記領域変更部は、前記イベント検出部により前記マーカー指令操作が検出された場合に、前記再生コンテンツが再生されていた表示領域を、該マーカー指令操作に伴うマーカー（前記別のマーカー）を基準として定められる表示領域へと変更して、前記コンテンツ再生部は、前記マーカー指令操作を受けた前記領域変更部により前記表示領域が変更されて以降、それまで再生させていた前記コンテンツを、前記別のマーカーが前記マーカー検出部により検出されている状態において、該別のマーカーを基準として定められる前記表示部の表示領域にて再生させる。【００２７】
この発明であれば、マーカー指令操作が検出された以降、この操作に伴う別のマーカーを基準とする表示領域にてコンテンツを再生させることができる。そのため、ユーザは、画像表示システムに対してマーカー指令操作を行うことにより、元のマーカーに対応するコンテンツを、別のマーカーを基準とする表示領域にて閲覧することができるようになる。【００２８】
この局面におけるマーカー指令操作では、例えば、その時点（マーカー指令操作が行われる時点）でカメラ部により取得されている画像の一部または全部を「別のマーカー」として指定させたり、画像表示システムの記憶部またはネットワーク上などに格納された特定画像を「別のマーカー」として指定させたりすることが考えられる。【００２９】
ところで、上述した画像表示システムでは、カメラ部に撮影された画像にコンテンツを重畳させて仮想現実を実現しているが、より仮想現実感を高めるために、こうして再生されるコンテンツに対して画像表示システムの動きに合わせた何らかの演出を行うことが考えられる。【００３０】
具体的な例としては、上記各局面の発明を以下に示す第５の局面のようにすることが考えられる。
本発明の第５局面においては、さらに、変位検出部と、方向特定部と、を備えている。【００３１】
そして、前記変位検出部は、当該画像表示システムが一定以上の加速度をもって特定方向へと変位していることを検出して、前記方向特定部は、前記変位検出部により検出された変位方向、および、該検出されうる変位方向との関係で規定される前記表示部の向きに基づいて、前記表示部の表示領域において前記変位検出部に検出された変位方向と反対となる方向を特定して、前記イベント検出部は、前記コンテンツ再生部によるコンテンツの再生が開始されて以降、前記変位検出部により当該画像表示システムの変位が開始されたことをイベントとして検出しており、前記領域変更部は、前記領域変更イベント検出部により変位開始が検出された際、その時点（変位開始が検出された時点）で前記方向特定部により特定される方向へ、前記コンテンツが再生されている表示領域を一定量だけ所定速度で変位させ、その後、所定速度で元の位置へと戻す。【００３２】
この発明であれば、表示部で再生されているコンテンツが、画像表示システムそのものの変位に対して遅れて追随してくるような演出を行うことができ、これにより仮想現実感を一層高めることができる。【００３３】
また、本発明の第６局面は、カメラ部に撮影させた画像を表示部に表示させる電子機器であって、マーカー検出部と、コンテンツ再生部と、イベント検出部と、領域変更部と、を備えている。これらのうち、前記マーカー検出部は、前記カメラ部による撮影が開始されて以降または該撮影された画像の前記表示部への表示が開始されて以降、該撮影された画像中に、あらかじめ検出対象として定められたマーカーが存在していることを検出して、前記コンテンツ再生部は、前記マーカー検出部によりマーカーが検出されている状態において、該マーカーに対応するコンテンツを、そのマーカーを基準として定められる前記表示部の表示領域にて再生させて、前記イベント検出部は、前記コンテンツ再生部によるコンテンツの再生が開始されて以降、当該電子機器に対し、該コンテンツの表示態様を変更させるためのイベントが発生したか否かを検出して、前記領域変更部は、前記イベント検出部によりイベントの発生が検出された場合に、少なくとも前記コンテンツが再生される表示領域を、その検出されたイベントに応じた表示領域へと変更する。【００３４】
さらに、前記コンテンツ再生部は、前記領域変更部により前記表示領域が変更されて以降、それまで再生させていた前記コンテンツを、その変更された表示領域にて再生させる。【００３５】
この電子機器であれば、上記各局面における画像表示システムの一部を構成することができる。
なお、この局面では、外付けのカメラ部および表示部のいずれか一方または両方をインタフェース経由で優先接続または無線接続し、これらの動作を制御するように構成してもよいし、カメラ部および表示部のいずれか一方または両方を構成要素として備えた構成としてもよい。【００３６】
また、本発明の第７局面は、コンピュータを上記各局面のいずれかに記載の全ての構成要素として機能させるためのプログラムである。
このプログラムを実装したコンピュータシステムは、上記各局面の発明と同様の作用、効果を奏するものとなる。【００３７】
なお、このプログラムは、例えば、ＣＤ−ＲＯＭまたはＤＶＤ等の光ディスク、磁気ディスク、半導体製メモリ等の、コンピュータにて読み取り可能な記録媒体に記録した状態で、画像処理システムまたはそのユーザに提供することができる。【００３８】
また、本発明の第８局面は、少なくとも１つのコンピュータに、カメラ部と該カメラ部に撮影された画像を表示させる画像表示方法であって、マーカー検出手順と、コンテンツ再生手順と、イベント検出手順と、領域変更手順と、からなる。【００３９】
これらのうち、前記マーカー検出手順は、前記カメラ手順による撮影が開始されて以降または該撮影された画像の前記表示手順への表示が開始されて以降、該撮影された画像中に、あらかじめ検出対象として定められたマーカーが存在していることを検出して、前記コンテンツ再生手順は、前記マーカー検出手順によりマーカーが検出されている状態において、該マーカーに対応するコンテンツを、そのマーカーを基準として定められる前記表示手順の表示領域にて再生させて、前記イベント検出手順は、前記コンテンツ再生手順によるコンテンツの再生が開始されて以降、当該コンピュータに対し、該コンテンツの表示態様を変更させるためのイベントが発生したか否かを検出して、前記領域変更手順は、前記イベント検出手順によりイベントの発生が検出された場合に、少なくとも前記コンテンツが再生される表示領域を、その検出されたイベントに応じた表示領域へと変更する。【００４０】
さらに、前記コンテンツ再生手順は、前記領域変更手順により前記表示領域が変更されて以降、それまで再生させていた前記コンテンツを、その変更された表示領域にて再生させる。【００４１】
このような方法により画像を表示させる画像表示システムは、上記各局面の発明と同様の作用、効果を奏するものとなる。
【図面の簡単な説明】
【００４２】
【図１】画像表示システムの全体構成を示すブロック図
【図２】コンテンツ再生処理を示すフローチャート
【図３Ａ−３Ｃ】図３Ａはマーカーの例を示す図、図３Ｂはマーカーおよび再生表示領域を示す図、図３Ｃはマーカーにコンテンツが重畳された状態を示す図
【図４】イベント処理を示すフローチャート
【図５】領域指令操作を行った場合の動作を示す図（１）
【図６】領域指令操作を行った場合の動作を示す図（２）
【図７】マーカー指令操作を行った場合の動作を示す図
【符号の説明】
【００４３】
１…画像表示システム、１１…制御部、１３…通信部、１５…記憶部、２１…カメラ部、２３…入力部、２５…表示部、２７…音声入出力部、３１…ＧＰＳセンサ、３３…加速度センサ。
【発明を実施するための形態】
【００４４】
以下に本発明の実施形態を図面と共に説明する。
（１）全体構成
画像表示システム１は、図１に示すように、制御部１１、通信部１３、記憶部１５、カメラ部２１、入力部２３、表示部２５、音声入出力部２７、ＧＰＳセンサ３１、加速度センサ３３などを備えている。なお、本実施形態では、画像表示システム１が携帯電話端末に実装された場合を例示するが、この画像表示システム１は、カメラ部２１、表示部２５および入力部２３におけるタッチパネルのうちのいずれか１以上の構成要素を備えていない電子機器と、これら構成要素とをインタフェース経由で有線接続または無線接続することにより実現してもよい。
【００４５】
これらのうち、制御部１１は、内蔵されたマイコンおよびメモリにより、画像表示システム１全体の動作を制御する。
また、通信部１３は、それぞれ異なる通信規格（携帯電話向け通信規格、無線ＬＡＮ規格、近距離無線通信規格）に対応した複数の通信モジュールからなり、画像表示システム１による無線通信を制御する。
【００４６】
また、入力部２３は、表示部２５の表示面と一体に構成されたタッチパネルおよび画像表示システム１本体に設けられたキースイッチ類からなり、これらを介してユーザの入力操作を受け付ける。
【００４７】
また、ＧＰＳセンサ３１は、複数のＧＰＳ（Ｇｌｏｂａｌ  Ｐｏｓｉｔｉｏｎｉｎｇ  Ｓｙｓｔｅｍ）衛星からの受信電波に基づき、画像表示システム１の現在位置を特定するように構成されたセンサである。
【００４８】
また、加速度センサ３３は、画像表示システム１に加えられる加速度とその向きを検出するように構成されたセンサである。
（２）コンテンツ再生処理
ここで、制御部１１が記憶部１５に格納されたアプリケーションプログラムに従って実行するコンテンツ再生処理の処理手順を図２に基づいて説明する。このコンテンツ再生処理は、この処理を起動するための操作が入力部２３に対して行われた際に実行される。
【００４９】
このコンテンツ再生処理が起動されると、まず、カメラ部２１による画像の撮影、および、こうして撮影された画像（以降「撮影画像」という）の表示部２５への表示が開始される（ｓ１１０）。
【００５０】
次に、通信部１３を介してあらかじめ定められたネットワーク上の格納場所へのアクセスが行われ、この格納場所に格納されている所定コンテンツの取得（ダウンロード）が開始される（ｓ１２０）。
【００５１】
なお、ここでは、上記ｓ１１０による撮影画像の表示開始後にコンテンツの取得が開始されるように構成されているが、カメラ部２１による撮影が開始されたタイミングまたは、以降の処理（ｓ１４０）で後述するマーカーが検出されたタイミングなどで、コンテンツの取得が開始されるように構成してもよい。
【００５２】
次に、以降の処理で検出対象となるマーカーが設定される（ｓ１３０）。ここでは、上記ｓ１２０にて取得が開始されたコンテンツに対応するものとして定められた所定の要素画像が、以降の処理で検出対象となるマーカーとして設定（内蔵メモリへ格納）される。
【００５３】
次に、撮影画像中から、上記ｓ１３０にて設定されたマーカーが検出されたか否かがチェックされる（ｓ１４０）。ここでは、撮影画像に、上記ｓ１３０にて設定されたマーカーとしての要素画像が含まれている場合に、マーカーが検出されたと判定される。
【００５４】
例えば、矩形の領域からなるイラストの要素画像がマーカーとして定められている場合を例示すると（図３Ａ参照）、撮影画像中に、このイラストからなるマーカーと同じ特徴（形状または色分布など）の画像領域が存在しているか否かがチェックされ、特徴としての一致度が所定のしきい値以上となっている画像領域がマーカーとして検出される。
【００５５】
このｓ１４０によるチェックは、上記ｓ１１０にて画像の表示が開始された以降の経過時間が、規定時間に到達する（タイムアウトとなる）まで（ｓ１５０：ＹＥＳ）、繰り返し行われる（ｓ１５０：ＮＯ→ｓ１４０）。
【００５６】
この繰り返しにおいて、タイムアウトとなった場合には（ｓ１５０：ＹＥＳ）、上記ｓ１２０にて開始されたコンテンツの取得が終了され（ｓ１６０）、上記ｓ１１０にて開始された撮影および表示が終了された後（ｓ１７０）、本コンテンツ再生処理が終了する。
【００５７】
なお、ここまでに取得されたコンテンツは、上記ｓ１６０にて破棄される。
一方、上記ｓ１４０によるチェックでマーカーが検出された場合は（ｓ１４０：ＹＥＳ）、撮影画像中のマーカーを基準として定められる表示部２５の表示領域が、上記ｓ１２０で取得が開始されたコンテンツを再生すべき表示領域（再生表示領域）として設定される（ｓ１８０）。
【００５８】
次に、表示部２５の表示領域のうち、上記ｓ１８０にて設定された再生表示領域にて、上記ｓ１２０で取得が開始されたコンテンツの再生が開始される（ｓ１９０）。
例えば、上記と同様に、矩形の領域からなるイラストがマーカーとして定められ、コンテンツが矩形で再生すべき静止画または動画である場合を例示すると、上記ｓ１８０にて、このマーカー上における矩形の領域を再生表示領域として設定し（図３Ｂ参照）、上記ｓ１９０にて、ここにコンテンツを再生することが考えられる（図３Ｃ参照）。
【００５９】
こうしてコンテンツの再生が開始された後、画像表示システム１に対してイベントが発生したか否かがチェックされる（ｓ２１０）。本実施形態では、入力部２３におけるタッチパネルへの操作が行われたこと、または、加速度センサ３３により一定以上の加速度が検出されたこと、がイベントの発生と判定される。
【００６０】
このｓ２１０においてイベントが発生したと判定された場合（ｓ２１０：ＹＥＳ）、このイベントに応じた処理（イベント処理）が実施された後（ｓ２２０）、次の処理（ｓ２３０）へと移行する。
【００６１】
詳細な処理は後述するが、このイベント処理では、発生したイベントに応じて、コンテンツの表示領域をマーカーに依存しない表示領域に設定変更する処理、検出対象となるマーカーを別のマーカーに設定変更する処理、コンテンツの表示領域に拡張現実としての演出を付加する処理などが実施される。
【００６２】
一方、上記ｓ２１０においてイベントが発生していないと判定されたら（ｓ２１０：ＮＯ）、上述したイベント処理が実施されることなく、次の処理（ｓ２３０）へ移行する。
次に、この時点（ｓ２３０に移行してきた時点）で再生表示領域を設定可能な状態となっているか否かがチェックされる（ｓ２３０）。
【００６３】
ここでは、上記イベント処理において、再生表示領域がマーカーに依存しない表示領域に設定変更されている場合には、そのことをもって、再生表示領域を設定可能な状態になっていると判定される。また、上記イベント処理において、再生表示領域がマーカーに依存しない表示領域へと設定変更されていない場合、または、検出対象となるマーカーが別のマーカーに設定変更されている場合には、上記ｓ１４０と同様、マーカーが検出されていることをもって、再生表示領域を設定可能な状態になっていると判定される。逆に、この場合において、マーカーが検出されなければ、再生表示領域を設定可能な状態にはなっていないと判定される。
【００６４】
このｓ２３０で再生表示領域を設定可能と判定された場合には（ｓ２３０：ＹＥＳ）、この時点（設定可能と判定した時点）における表示領域、またはマーカーの設定状態に応じた表示領域（マーカーに依存しない表示領域、マーカーに基づく表示領域）が、再生表示領域として設定された後（ｓ２４０）、プロセスがｓ１９０へと戻る。
【００６５】
この場合のｓ１９０では、後述する処理（ｓ２５０）でコンテンツの再生が中断されていれば、その中断された再生位置からの再生が再開される。
このｓ２４０で、再生表示領域がマーカーに依存しない表示領域へと設定変更されていない場合、または、検出対象となるマーカーが別のマーカーに設定変更されている場合には、撮影画像におけるマーカーの位置に応じて再生表示領域を調整すべく、この時点（ｓ２４０実施時点、つまりｓ２３０で設定可能と判定した時点）における撮影画像中のマーカーを基準として定められる表示部２５の表示領域が再生表示領域として設定される。なお、再生表示領域がマーカーに依存しない表示領域に設定変更されている場合には、撮影画像におけるマーカーの位置に応じて再生表示領域を調整する必要がないため、このｓ２４０では何らの処理も行われない。
【００６６】
また、上記ｓ２３０で再生表示領域を設定可能な状態にはなっていないと判定された（つまり、撮影画像からマーカーが検出されない）場合（ｓ２３０：ＮＯ）、上記ｓ１９０にて開始されたコンテンツの再生が中断される（ｓ２５０）。なお、既にコンテンツが中断されている場合、このｓ２５０では、こうして中断された状態が維持される。
【００６７】
この上記ｓ２１０,ｓ２３０によるチェックは、コンテンツの再生中断が維持されている時間が規定時間に到達する（タイムアウトとなる）まで（ｓ２６０：ＹＥＳ）、繰り返し行われる（ｓ２６０：ＮＯ→ｓ２１０）。
【００６８】
この繰り返しにおいて、タイムアウトとなった場合には（ｓ２６０：ＹＥＳ）、上記ｓ１９０にて開始されたコンテンツの再生が終了され（ｓ２７０）、プロセスがｓ１７０へと移行して撮影および表示が終了された後（ｓ１７０）、本コンテンツ再生処理が終了する。ここまでに取得されたコンテンツは、このｓ１７０にて破棄される。
【００６９】
なお、上記ｓ２７０では、その時点（ｓ２６０でタイムアウトとなり「ＹＥＳ」と判定された時点）でコンテンツの取得が終了していなければ、上記ｓ１６０と同様に、その取得も終了される。
（２）イベント処理
次に、コンテンツ再生処理におけるｓ２２０であるイベント処理の処理手順を図４に基づいて説明する。
【００７０】
このイベント処理では、まず、上記ｓ２１０にて発生したと判定されたイベントが、領域変更イベントであるか否かがチェックされる（ｓ３１０）。ここでは、入力部２３への操作として、コンテンツをマーカーに依存しない表示領域にて再生すべき旨を指令するための領域指令操作（本実施形態では、場所を問わずタッチパネルを１回タッチする操作）が行われたことが、「領域変更イベント」として判定される。
【００７１】
このｓ３１０で領域変更イベントであると判定された場合（ｓ３１０：ＹＥＳ）、撮影画像中のマーカーを基準としない表示部２５の表示領域が、再生表示領域として設定される（ｓ３２０）。
【００７２】
ここでは、例えば、表示部２５における表示領域中の所定位置を基準として、コンテンツの再生に必要な範囲の表示領域が再生表示領域として設定される。具体的には、それまでの再生表示領域から上下左右に所定量だけズラした表示領域、または表示部２５における表示領域の中心にコンテンツが位置するような表示領域などである。
【００７３】
また、コンテンツの再生に必要な範囲が表示部２５の表示領域全体（画像表示に用いられる領域全域）と相似形である場合には、この表示領域全体を再生表示領域として設定することも考えられる。なお、この場合（相似形である場合）には、表示部２５における表示領域全体の形状、および、コンテンツの再生に必要な表示領域の形状を情報（四角形であれば縦横比）として取得したうえで、これら形状の一致度を比較することで、両形状が相似形であるか否かを積極的に確認する構成としてもよい。
【００７４】
こうして、ｓ３２０を終えたら、コンテンツ再生処理へと戻り、上記ｓ２３０以降の処理が行われる。
また、上記ｓ２１０にて発生したと判定されたイベントが、領域変更イベントではない場合（ｓ３１０：ＮＯ）、そのイベントがマーカー変更イベントであるか否かがチェックされる（ｓ３３０）。
【００７５】
ここでは、入力部２３におけるタッチパネルへの操作として、その時点（ｓ３３０にてチェックをしようとする時点）で検出対象として定められているマーカーを別のマーカーへと変更すべき旨を指令するためのマーカー指令操作が行われたことが、「マーカー変更イベント」として判定される。
【００７６】
本実施形態において、この「マーカー指令操作」は、例えば、その時点（マーカー指令操作を行おうとする時点）で撮影されている画像の一部または全部を別のマーカーとして指定させたり、記憶部１５またはネットワーク上に格納された特定画像を別のマーカーとして指定させたりする操作のことである。
【００７７】
このｓ３３０でマーカー変更イベントであると判定された場合（ｓ３３０：ＹＥＳ）、マーカー指令操作にて指定された「別のマーカー」が画像データとして取得される（ｓ３４０）。
【００７８】
なお、このｓ３４０では、取得された画像データがマーカーとして適切に使用できるか否かを形状または色分布などに基づいて判定し、使用できる場合のみ以降の処理へと移行することとしてもよい。この場合、使用できないと判定された場合には、その旨のエラーメッセージを表示部２５に表示後、コンテンツ再生処理へと戻り、上記ｓ２３０以降の処理が行われることとすればよい。
【００７９】
次に、以降の処理で検出対象となるマーカーが設定される（ｓ３５０）。ここでは、上記ｓ３４０にて取得された「別のマーカー」としての画像が、上記ｓ１３０と同様に、以降の処理で画像からの検出対象となるマーカーとして設定される。
【００８０】
こうして、ｓ３５０を終えたら、コンテンツ再生処理へと戻り、上記ｓ２３０以降の処理が行われる。
また、上記ｓ２１０にて発生したと判定されたイベントが、マーカー変更イベントではない場合（ｓ３３０：ＮＯ）、そのイベントが演出付加イベントであるか否かがチェックされる（ｓ３６０）。ここでは、加速度センサ３３により一定以上の加速度が検出されたことが「演出付加イベント」として判定される。
【００８１】
このｓ３６０で演出付加イベントであると判定された場合（ｓ３６０：ＹＥＳ）、コンテンツの表示領域に付加すべき演出の態様が決定される（ｓ３７０）。
本実施形態では、再生表示領域が画像表示システム１そのものの変位に対して反対方向に変位した後で元の位置に戻る、といった演出を付加すべく、その演出態様として再生表示領域を変位させる方向が決定される。具体的には、加速度センサ３３により検出された加速度の方向（画像表示システム１の変位方向）、および、その変位方向との関係で規定される表示部２５の向きに基づいて、表示部２５の表示領域において加速度センサ３３に検出された変位方向と反対となる方向（反対変位方向）が特定される。
【００８２】
ここでは、反対変位方向と共に、この反対変位方向へと変位させる際の速度を、加速度センサ３３に検出された加速度に基づいて決定することとしてもよい。
次に、上記ｓ３７０で決定された態様により、コンテンツへの演出の付加が開始される（ｓ３８０）。ここでは、上記ｓ３７０にて決定された反対変位方向へと、再生表示領域を一定量だけ所定速度で変位させ、その後、所定速度で元の位置まで戻す、といった演出付加のための処理が開始される。
【００８３】
なお、上記ｓ３７０にて、変位方向へと変位させる際の速度を決定した場合、このｓ３８０では、この速度に従って再生表示領域を変位させることとすればよい。
こうして、ｓ３８０を終えたら、コンテンツ再生処理へと戻り、上記ｓ２３０以降の処理が行われる。
【００８４】
また、上記ｓ２１０にて発生したと判定されたイベントが、上述したいずれのイベントでもないと判定された場合には（ｓ３６０：ＮＯ）、そのイベントに対応する処理（その他の処理）が行われた後（ｓ３８０）、コンテンツ再生処理へと戻り、上記ｓ２３０以降の処理が行われる。
（４）作用，効果
このように構成された画像表示システム１では、コンテンツを再生する再生表示領域を、画像中のマーカーを基準とする表示領域から、画像表示システム１に対して発生したイベントに応じた表示領域へと変更することができる（ｓ２１０〜ｓ２４０）。
【００８５】
このように、イベントに応じた再生表示領域へと変更することにより、それまでのマーカーが位置する表示領域とは無関係に、このマーカーに対応する再生コンテンツを再生させることができる。これにより、カメラ部２１によりマーカーを含む領域が撮影されているか否かに拘らず、継続的にコンテンツを再生させることができるため、コンテンツの再生およびその閲覧に際しての自由度が高い。
【００８６】
また、上記構成では、領域指令操作が検出された以降（ｓ３１０「ＹＥＳ」）、コンテンツをマーカーに依存しない表示領域にて再生させることができる（ｓ３２０）。そのため、ユーザは、図５に示すように、画像表示システム１に対して領域指令操作（ここではタッチパネルをタップする操作）を行うことにより、マーカーを含む領域を撮影し続けることなく、そのマーカーに対応するコンテンツを継続的に閲覧することができるようになる。
【００８７】
また、上記構成において、コンテンツの再生に必要な範囲を表示部２５の表示領域全体と相似形とした場合には、領域指令操作が検出された以降（ｓ３１０「ＹＥＳ」）、コンテンツを表示部２５における表示領域全体にて再生させることができる（ｓ３２０）。そのため、ユーザは、図６に示すように、画像表示システム１に対して領域指令操作（同上）を行うことにより、そのマーカーに対応するコンテンツを全画面表示にて継続的に閲覧することができるようになる。
【００８８】
また、上記構成では、マーカー指令操作が検出された以降（ｓ３３０「ＹＥＳ」）、この操作に伴う別のマーカーを基準とする表示領域にてコンテンツを再生させることができる（ｓ３４０〜ｓ３５０→ｓ２４０）。そのため、ユーザは、図７に示すように、画像表示システム１に対してマーカー指令操作（ここでは「別のマーカー」を撮影する操作）を行うことにより、元のマーカーに対応するコンテンツを、別のマーカーを基準とする表示領域にて閲覧することができるようになる。
【００８９】
また、上記構成では、演出付加イベントの発生が検出された際（ｓ３６０「ＹＥＳ」）、表示部２５で再生されているコンテンツが、画像表示システム１そのものの変位に対して遅れて追随してくるような演出を行うことができ、これにより仮想現実感を一層高めることができる。
（５）変形例
以上、本発明の実施の形態について説明したが、本発明は、上記実施形態に何ら限定されることはなく、本発明の技術的範囲に属する限り種々の形態をとり得ることはいうまでもない。
【００９０】
例えば、上記実施形態においては、検出対象となるマーカーが、特定の画像的な特徴を有する画像領域として定められ、カメラ部２１に撮影される画像から、この画像的な特徴を有する画像領域を識別し、これをマーカーとして検出するように構成されている。
【００９１】
しかし、検出対象となるマーカーは、画像表示システム１の位置（ＧＰＳセンサ３１にて特定）または向き（加速度センサ３３にて特定）などの情報（具体的には、「位置」、「向き」を含む複数種類の情報のうちの１つ以上）に基づいて、カメラ部２１に撮影される画像に含まれる画像領域の実空間における位置を特定したうえで、実空間における特定の位置を含む画像領域（場所または建造物など）を識別し、これをマーカーとして検出するように構成してもよい。この場合、マーカー指令操作では、地図等における該当箇所または位置情報などを「別のマーカー」として指定することとすればよい。
【００９２】
また、上記実施形態では、コンテンツ再生処理の都度、ネットワーク経由でコンテンツを取得するように構成されている。しかし、コンテンツは、あらかじめ画像表示システム１の記憶部１５内に格納しておき、ここから取得するように構成してもよい。
【００９３】
また、上記本実施形態では、入力部２３におけるタッチパネルへの操作が行われたこと、または、加速度センサ３３により一定以上の加速度が検出されたことを、イベントの発生として判定するように構成されている。しかし、これら以外の操作、またはその他センサ類の検出結果から判定される外部環境の変化などについても、イベントの発生として判定し、それに応じた処理（ｓ３９０）を行うように構成してもよい。
【００９４】
また、上記実施形態では、演出付加イベントの発生を受け、再生表示領域が画像表示システム１そのものの変位に対して遅れて追随してくる演出を付加するように構成されている。しかし、コンテンツに付加する演出としては、仮想現実感を高めるためのものであればよく、これ以外の演出を付加する構成としてもよい。
【００９５】
また、上記実施形態においては、マーカー指令操作が行われた際、検索対象のマーカーのみが「別のマーカー」に設定変更され、再生させるべきコンテンツは変更されないように構成されている。しかし、このマーカー指令操作を受けた際、マーカーと共にコンテンツも変更されるように構成してもよく、このためには、上記ｓ３４０において、マーカーとなる画像と共に、このマーカーに対応するコンテンツの取得を開始し、ここまでに取得されていたコンテンツを破棄するように構成することが考えられる。
【００９６】
また、上記実施形態では、イベント処理において、領域変更イベント、マーカー変更イベント、演出付加イベント、といった順番でイベント内容をチェックするように構成されているが、このイベント内容をチェックする順番は、この順番に限られない。
（６）本発明との対応関係
上記実施形態において、コンテンツ再生処理のｓ１４０,ｓ２３０は本発明におけるマーカー検出部の一例であり、同ｓ１９０は本発明におけるコンテンツ再生部の一例であり、同ｓ２１０およびイベント処理のｓ３１０,ｓ３３０,ｓ３６０は本発明におけるイベント検出部の一例であり、コンテンツ再生処理のｓ１３０,ｓ２４０およびイベント処理のｓ３２０は本発明における領域変更部の一例であり、イベント処理のｓ３７０は本発明における方向特定部の一例である。
【図１】
2014068706.tif 000003
【図２】
2014068706.tif 000004
【図４】
2014068706.tif 000005
【図３Ａ−３Ｃ】
2014068706.tif 000006
【図５】
2014068706.tif 000007
【図６】
2014068706.tif 000008
【図７】
2014068706.tif 000009
【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
カメラ部と該カメラ部に撮影された画像を表示させる表示部とを備えた画像表示システムであって、
マーカー検出部と、コンテンツ再生部と、イベント検出部と、領域変更部と、を備え、
前記マーカー検出部は、前記カメラ部による撮影が開始されて以降または該撮影された画像の前記表示部への表示が開始されて以降、該撮影された画像中に、あらかじめ検出対象として定められたマーカーが存在していることを検出して、
前記コンテンツ再生部は、前記マーカー検出部によりマーカーが検出されている状態において、該マーカーに対応するコンテンツを、そのマーカーを基準として定められる前記表示部の表示領域にて再生させて、
前記イベント検出部は、前記コンテンツ再生部によるコンテンツの再生が開始されて以降、当該画像表示システムに対し、該コンテンツの表示態様を変更させるためのイベントが発生したか否かを検出して、
前記領域変更部は、前記イベント検出部によりイベントの発生が検出された場合に、少なくとも前記コンテンツが再生される表示領域を、その検出されたイベントに応じた表示領域へと変更して、
さらに、
前記コンテンツ再生部は、前記領域変更部により前記表示領域が変更されて以降、それまで再生させていた前記コンテンツを、その変更された表示領域にて再生させて、
前記イベント検出部は、前記コンテンツ再生部によるコンテンツの再生が開始されて以降、当該画像表示システムに対し、その時点で検出対象として定められているマーカーを別のマーカーへと変更すべき旨を指令するためのマーカー指令操作が行われたことをイベントとして検出するものであり、
前記領域変更部は、前記イベント検出部により前記マーカー指令操作が検出された場合に、前記再生コンテンツが再生されていた表示領域を、該マーカー指令操作に伴うマーカー（前記別のマーカー）を基準として定められる表示領域へと変更して、
前記コンテンツ再生部は、前記マーカー指令操作を受けた前記領域変更部により前記表示領域が変更されて以降、それまで再生させていた前記コンテンツを、前記別のマーカーが前記マーカー検出部により検出されている状態において、該別のマーカーを基準として定められる前記表示部の表示領域にて再生させる
ことを特徴とする画像表示システム。
【請求項２】
前記イベント検出部は、前記コンテンツ再生部によるコンテンツの再生が開始されて以降、当該画像表示システムに対し、前記コンテンツを前記マーカーに依存しない表示領域にて再生すべき旨を指令するための領域指令操作が行われたことをイベントとして検出して、
前記領域変更部は、前記イベント検出部により前記領域指令操作が検出された場合に、前記コンテンツが再生される表示領域を、前記表示部において前記マーカーを基準としない所定の表示領域へと変更する
ことを特徴とする請求項１に記載の画像表示システム。
【請求項３】
検出対象として定められたマーカーにつき、該マーカーに対応するコンテンツの再生に必要な範囲が前記表示部の表示領域全体と相似形である場合において、
前記領域変更部は、前記イベント検出部により前記領域指令操作が検出された場合に、前記コンテンツが再生される表示領域を、前記表示部における表示領域全体に変更する
ことを特徴とする請求項２に記載の画像表示システム。
【請求項４】
さらに、変位検出部と、方向特定部と、を備えており、
前記変位検出部は、当該画像表示システムが一定以上の加速度をもって特定方向へと変位していることを検出して、
前記方向特定部は、前記変位検出部により検出された変位方向、および、該検出されうる変位方向との関係で規定される前記表示部の向きに基づいて、前記表示部の表示領域において前記変位検出部に検出された変位方向と反対となる方向を特定して、
前記イベント検出部は、前記コンテンツ再生部によるコンテンツの再生が開始されて以降、前記変位検出部により当該画像表示システムの変位が開始されたことをイベントとして検出するものであり、
前記領域変更部は、前記イベント検出部により変位開始が検出された際、その変位開始が検出された時点で前記方向特定部により特定される方向へ、前記コンテンツが再生されている表示領域を一定量だけ所定速度で変位させ、その後、所定速度で元の位置へと戻す
ことを特徴とする請求項１から３のいずれかに記載の画像表示システム。
【請求項５】
カメラ部に撮影させた画像を表示部に表示させる電子機器であって、
マーカー検出部と、コンテンツ再生部と、イベント検出部と、領域変更部と、を備え、
前記マーカー検出部は、前記カメラ部による撮影が開始されて以降または該撮影された画像の前記表示部への表示が開始されて以降、該撮影された画像中に、あらかじめ検出対象として定められたマーカーが存在していることを検出して、
前記コンテンツ再生部は、前記マーカー検出部によりマーカーが検出されている状態において、該マーカーに対応するコンテンツを、そのマーカーを基準として定められる前記表示部の表示領域にて再生させて、
前記イベント検出部は、前記コンテンツ再生部によるコンテンツの再生が開始されて以降、当該電子機器に対し、該コンテンツの表示態様を変更させるためのイベントが発生したか否かを検出して、
前記領域変更部は、前記イベント検出部によりイベントの発生が検出された場合に、少なくとも前記コンテンツが再生される表示領域を、その検出されたイベントに応じた表示領域へと変更して、
さらに、
前記コンテンツ再生部は、前記領域変更部により前記表示領域が変更されて以降、それまで再生させていた前記コンテンツを、その変更された表示領域にて再生させて、
前記イベント検出部は、前記コンテンツ再生部によるコンテンツの再生が開始されて以降、当該画像表示システムに対し、その時点で検出対象として定められているマーカーを別のマーカーへと変更すべき旨を指令するためのマーカー指令操作が行われたことをイベントとして検出するものであり、
前記領域変更部は、前記イベント検出部により前記マーカー指令操作が検出された場合に、前記再生コンテンツが再生されていた表示領域を、該マーカー指令操作に伴うマーカー（前記別のマーカー）を基準として定められる表示領域へと変更して、
前記コンテンツ再生部は、前記マーカー指令操作を受けた前記領域変更部により前記表示領域が変更されて以降、それまで再生させていた前記コンテンツを、前記別のマーカーが前記マーカー検出部により検出されている状態において、該別のマーカーを基準として定められる前記表示部の表示領域にて再生させる
ことを特徴とする電子機器。
【請求項６】
コンピュータを
請求項１から５のいずれかに記載の全ての構成要素として機能させる
ためのプログラム。
【請求項７】
少なくとも１つのコンピュータに、カメラ部と該カメラ部に撮影された画像を表示させる画像表示方法であって、
マーカー検出手順と、コンテンツ再生手順と、イベント検出手順と、領域変更手順と、からなり、
前記マーカー検出手順は、前記カメラ部による撮影が開始されて以降または該撮影された画像の前記表示部への表示が開始されて以降、該撮影された画像中に、あらかじめ検出対象として定められたマーカーが存在していることを検出して、
前記コンテンツ再生手順は、前記マーカー検出手順によりマーカーが検出されている状態において、該マーカーに対応するコンテンツを、そのマーカーを基準として定められる前記表示部の表示領域にて再生させて、
前記イベント検出手順は、前記コンテンツ再生手順によるコンテンツの再生が開始されて以降、当該コンピュータに対し、該コンテンツの表示態様を変更させるためのイベントが発生したか否かを検出して、
前記領域変更手順は、前記イベント検出手順によりイベントの発生が検出された場合に、少なくとも前記コンテンツが再生される表示領域を、その検出されたイベントに応じた表示領域へと変更して、
さらに、
前記コンテンツ再生手順は、前記領域変更手順により前記表示領域が変更されて以降、それまで再生させていた前記コンテンツを、その変更された表示領域にて再生させて、
前記イベント検出手順は、前記コンテンツ再生手順によるコンテンツの再生が開始されて以降、当該画像表示システムに対し、その時点で検出対象として定められているマーカーを別のマーカーへと変更すべき旨を指令するためのマーカー指令操作が行われたことをイベントとして検出するものであり、
前記領域変更手順は、前記イベント検出手順により前記マーカー指令操作が検出された場合に、前記再生コンテンツが再生されていた表示領域を、該マーカー指令操作に伴うマーカー（前記別のマーカー）を基準として定められる表示領域へと変更して、
前記コンテンツ再生手順は、前記マーカー指令操作を受けた前記領域変更手順により前記表示領域が変更されて以降、それまで再生させていた前記コンテンツを、前記別のマーカーが前記マーカー検出手順により検出されている状態において、該別のマーカーを基準として定められる前記表示部の表示領域にて再生させる
ことを特徴とする画像表示方法。 
【手続補正２】
【補正対象書類名】明細書
【補正対象項目名】００３１
【補正方法】変更
【補正の内容】
【００３１】
そして、前記変位検出部は、当該画像表示システムが一定以上の加速度をもって特定方向へと変位していることを検出して、前記方向特定部は、前記変位検出部により検出された変位方向、および、該検出されうる変位方向との関係で規定される前記表示部の向きに基づいて、前記表示部の表示領域において前記変位検出部に検出された変位方向と反対となる方向を特定して、前記イベント検出部は、前記コンテンツ再生部によるコンテンツの再生が開始されて以降、前記変位検出部により当該画像表示システムの変位が開始されたことをイベントとして検出しており、前記領域変更部は、前記イベント検出部により変位開始が検出された際、その時点（変位開始が検出された時点）で前記方向特定部により特定される方向へ、前記コンテンツが再生されている表示領域を一定量だけ所定速度で変位させ、その後、所定速度で元の位置へと戻す。 
【手続補正３】
【補正対象書類名】明細書
【補正対象項目名】００３９
【補正方法】変更
【補正の内容】
【００３９】
これらのうち、前記マーカー検出手順は、前記カメラ部による撮影が開始されて以降または該撮影された画像の前記表示部への表示が開始されて以降、該撮影された画像中に、あらかじめ検出対象として定められたマーカーが存在していることを検出して、前記コンテンツ再生手順は、前記マーカー検出手順によりマーカーが検出されている状態において、該マーカーに対応するコンテンツを、そのマーカーを基準として定められる前記表示部の表示領域にて再生させて、前記イベント検出手順は、前記コンテンツ再生手順によるコンテンツの再生が開始されて以降、当該コンピュータに対し、該コンテンツの表示態様を変更させるためのイベントが発生したか否かを検出して、前記領域変更手順は、前記イベント検出手順によりイベントの発生が検出された場合に、少なくとも前記コンテンツが再生される表示領域を、その検出されたイベントに応じた表示領域へと変更する。
【国際調査報告】
2014068706.tif 000010
2014068706.tif 000011
2014068706.tif 000012
2014068706.tif 000013